(57)【要約】  【課題】  送風機にカバーを取り付ける際の手順の誤り，本体筐体の内面との当接関係の誤りなどが生じにくく，カバー部材及び送風機１の位置決め精度を保つ高く保つことが可能な電気掃除機を提供すること，及び，本体筐体の内面との当接面積を確保することが可能であり，振動等に対する前記送風機１の位置ズレを防止することにより，安定した稼働を行うことが可能な電気掃除機を提供すること。  【解決手段】  送風機カバー１１を，前記ファン側端部，ベアリング側端部を結ぶ方向（送風機１の回転軸心）に沿う平面γ１により区分された２つのゴム製部材１２，１３を結合することにより，送風機１を収容した状態で一体に構成する。【選択図】図４
2006271627.tif 000002
【特許請求の範囲】
【請求項１】
両端部付近の２箇所に被支持部が形成されその２箇所の被支持部の間の位置に排気部が形成された送風機を具備する電気掃除機であって，
２つ以上のゴム製部材が結合されることにより前記送風機が収容された状態で一体に構成されるものであり，前記送風機における前記２箇所の被支持部各々と当該電気掃除機の本体筐体の内面との間に挟まれて保持される２箇所の支持部と，前記送風機の排気部と所定間隔を隔てつつ前記２箇所の支持部各々を連結する連結部とが形成され，前記連結部に排気口が設けられたゴム製送風機カバーを具備してなることを特徴とする電気掃除機。
【請求項２】
前記ゴム製部材が結合された前記ゴム製送風機カバーが，前記送風機を収容してその略全体を覆うものである請求項１に記載の電気掃除機。
【請求項３】
前記ゴム製部材が結合された前記ゴム製送風機カバーの略全体の外面形状と，前記本体筐体の内面形状とが略合致するよう形成されてなる請求項２に記載の電気掃除機。
【請求項４】
前記ゴム製送風機カバーが，前記送風機の回転軸心を通る平面で２つに区分された２つの前記ゴム製部材からなる請求項１〜３のいずれかに記載の電気掃除機。
【請求項５】
前記ゴム製送風機カバーが，前記連結部において前記送風機の回転軸心に略直交する平面で区分された２つの前記ゴム製部材からなる請求項１〜３のいずれかに記載の電気掃除機。
【発明の詳細な説明】
【技術分野】
【０００１】
本発明は，振動，騒音軽減用のカバーにより支持された送風機を有する電気掃除機に関するものである。
【背景技術】
【０００２】
近年，電気掃除機については，送風機の駆動時の振動を低減するために様々な方法が提案されている。その中でも特に効果が高い振動の低減方法として，特許文献１，特許文献２等に示されるように，前記送風機を複数の送風機カバー（モータカバー）で覆い，前記送風機カバーを介して前記送風機を支持する方法が知られている。
図１，図２は従来例における電気掃除機の有する送風機の送風機カバーに支持された状態における斜視図である。以下，図１，図２を参照しつつ，従来例における前記送風機の送風機カバーについて説明する（尚，図２は送風機カバーに支持された送風機全体の斜視図であり，一方図１は前記送風機のモータ駆動軸を含む平面での断面図である）。
【０００３】
図１，図２に示される送風機１は，ファン側端部α１とベアリング側端部α２とを有し，前記ファン側端部α１はリング状ゴム２により，前記ベアリング側端部α２はモータ固定ゴム３により，それぞれ支持されている。前記リング状ゴム２は，前記ファン側端部α１の内部に設けられた不図示のファンにより生成される真空をシールし，送風時の通風量を安定させる役割も担うものである。前記リング状ゴム２，前記モータ固定ゴム３は電気掃除機（図３参照）の本体部の筐体（本体筐体）の内面により支持されており，つまり，前記送風機１は両端部付近に形成されたファン側端部α１，ベアリング側端部α２（被支持部の一例）において，前記リング状ゴム２，前記モータ固定ゴム３を介して支持されている。このような構造により，前記送風機１における前記ファン側端部α１と前記ベアリング側端部α２の略中央部に内蔵された，不図示のモータの回転時における振動を緩和し，前記送風機１が前記モータの回転軸に直交する方向への位置ズレを防止する。
また，前記送風機１における前記ファン側端部α１と前記ベアリング側端部α２との略中央部から，前記ベアリング側端部α２に亘る排気部α３にかけては，前記モータのブラシ（不図示）などの突起を避けるため，または前記モータ回転時の騒音を避けるため，ウレタン等が素材として用いられた騒音防止フェルト４が巻き付けられている。前記排気部α３には不図示の複数の送風機排気口が形成されており，前記送風機排気口も前記騒音防止フェルト４に覆われている。従って，前記モータの排気は前記送風機排気口と，通気性を有する前記騒音防止フェルト４とを通じて行われる。このため，前記騒音防止フェルト４の巻き方，及び前記電気掃除機の本体筐体に設けられた通風路の大きさ，位置などは，騒音の度合い，通風量等に大きく影響を及ぼすものであり，十分注意を要するものである。
【特許文献１】特開平１０―１７４６６７号公報
【特許文献２】特開２００１―１６５０９７号公報
【発明の開示】
【発明が解決しようとする課題】
【０００４】
上述のような従来例の構造は，以下のような問題点を有する。
まず，騒音の低減，振動の低減のために複数の独立した部材，即ちリング状ゴム２，モータ固定ゴム３，騒音防止フェルト４等を送風機に取り付ける必要がある。騒音，振動の低減の為には，これらの部材及び送風機１の，本体筐体に設けられた収容部における位置決め精度を高く保つ必要があるが，前記送風機１に各部材を取り付ける際の組み立て手順上の誤りが生じやすく，それに伴い各部材が前記送風機１を支持するときの前記送風機１における被支持箇所の誤りなどが生じやすいため，前記位置決め精度を保つのは困難である。以上が第１の問題点である。
また，前記騒音防止フェルト４は通気性を保つために軟質である必要がある。従って，前記騒音防止フェルト４を前記送風機１の位置決めのための当接部に用いることができず，前記送風機１の位置決めは前記リング状ゴム２，前記モータ固定ゴム３の２つの部材と前記本体筐体の内面との当接により行わねばならなかった。そのため，各部材と前記内面との当接面積が少なくなり，振動等に対して前記送風機が位置ズレを起こしやすく，安定した稼働を行うのが困難である。以上が第２の問題点である。
従って，本発明は上記の第１の問題点，第２の問題点の解決に向けてなされたものであり，その目的とするところは，前記送風機１にカバーを取り付ける際の手順の誤り，本体筐体の内面との当接関係の誤りなどが生じにくく，カバー部材及び前記送風機１の位置決め精度を保つ高く保つことが可能な電気掃除機を提供すること，及び，本体筐体の内面との当接面積を確保することが可能であり，振動等に対する前記送風機１の位置ズレを防止することにより，安定した稼働を行うことが可能な電気掃除機を提供することにある。
【課題を解決するための手段】
【０００５】
上記目的を達成するために本発明は，両端部付近の２箇所に被支持部が形成されその２箇所の被支持部の間に排気部が形成された送風機が，２つ以上のゴム製部材からなり，かつ前記被支持部各々と当該電気掃除機の本体筐体内面との間に挟まれる２箇所の支持部と前記排気部から所定間隔を隔てつつ前記支持部各々を連結する連結部とを有し，該連結部に排気口が設けられたゴム製の送風機カバーに収容された電気掃除機である。
各ゴム製部材が結合された状態で前記送風機が収容されることにより，組み立て手順上の誤りが生じにくく，それに伴い前記ゴム製の送風機カバーが前記送風機を支持するときの前記送風機における被支持箇所の誤り等が生じにくい。また，前記連絡部を設けることにより，一般には前記ゴム製の送風機カバーと前記本体筐体の内面との当接面積が増加するものと期待される。従って，振動等に対する前記送風機の位置ズレ等も防止されやすい。
ここで，前記送風機の吸気口及び排気口を除く略全面を前記ゴム製の送風機カバーにより覆うことにより，前記送風機の駆動時に発生する騒音が明らかに効率的に低減される。
更に，前記本体筐体の内面を，前記ゴム製の送風機カバーの外面形状にあわせた適当な形状に設けることにより，内面とゴム製の送風機カバーとの当接面積を極力大きくとることが可能である。
尚，前記ゴム製の送風機カバーを構成するのに，前記支持部各々を結ぶ方向に沿って２つに区分されているゴム製部材，前記支持部各々の側に２つに区分されたゴム製部材を用いること等が考えられる。
【発明の効果】
【０００６】
本発明によれば，各ゴム製部材が結合された状態で電気掃除機内に送風機が収容されることにより，前記送風機に各ゴム製部材を取り付ける組み立て上の手順誤りが生じにくく，それに伴い前記ゴム製の送風機カバーが前記送風機を支持するときの前記送風機における被支持箇所の誤り等が生じにくい。また，前記連絡部を設けることにより，一般には前記ゴム製の送風機カバーと前記本体筐体の内面との当接面積が増加するものと期待される。従って，振動等に対する前記送風機の位置ズレ等も防止されやすい。更に，前記送風機の吸気口及び排気口を除く略全面を前記ゴム製の送風機カバーにより支持することにより，前記送風機駆動時の騒音が明らかに効率的に低減される。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は従来例における電気掃除機の有する送風機の送風機カバーに支持された状態における断面斜視図，図２は従来例における電気掃除機の有する送風機の送風機カバーに支持された状態における斜視図，図３は本発明の第１の実施形態に係る電気掃除機の概略図，図４は本発明の第１の実施形態に係る電気掃除機の有する送風機の送風機カバーに支持された状態における斜視図，図５は本発明の第１の実施形態に係る電気掃除機の有する送風機カバーの概略図，図６は本発明の第２の実施形態に係る電気掃除機の有する送風機の送風機カバーに支持された状態における斜視図，図７は本発明の第２の実施形態に係る電気掃除機の有する送風機カバーの概略図である。
【０００８】
（第１の実施形態）
以下，図３を参照しつつ，本発明の第１の実施形態に係る電気掃除機について説明する，
図３に示されるように，本発明の第１の実施形態に係る電気掃除機Ａは，本体部５，ホース６，吸込口部７，手元スイッチ部８，手元スイッチ９，延長管１０等を有して概略構成される。
前記本体部５は前記電気掃除機Ａの本体筐体であり，送風機１（図１参照）を含む主要部が内蔵される。前記本体部５には，前記送風機１による通風経路であり，塵芥の吸い込み経路であるホース６が着脱可能に取り付けられている。前記ホース６は，前記吸込口部７を床面に対して摺動させる手動操作用のハンドルである手元スイッチ部８と一体である。該手元スイッチ部８には操作部である手元スイッチ９が設けられており，該手元スイッチ９を介して前記送風機１に対する通風要求操作，強度の切換要求操作等の操作入力が可能である。
前記手元スイッチ９からの前記送風機１に対する通風要求操作入力がなされると，前記送風機１が駆動され，前記吸込口部７から前記延長管１０，前記ホース６を介して前記本体部５に設けられた不図示の排気口までの通風経路，排気経路が形成される。これにより，前記吸込口部７の周囲に散置された塵芥が前記延長管１０，前記ホース６を介して前記本体部５に吸い込まれ，前記排気口の通風経路上流側に設けられたフィルタに吸着保持される。
以上は，従来の電気掃除機と同様である。
【０００９】
図４は本発明の第１の実施形態に係る電気掃除機Ａの有する送風機１の送風機カバーに支持された状態における斜視図である。また，図５は当該電気掃除機Ａの有する送風機カバーの概略図である。当該電気掃除機Ａの特徴点は，前記本体部５に内蔵されている前記送風機１を支持する送風機カバー１１にあるものであり，以下，図４，図５を参照しつつ，そのような当該電気掃除機Ａの特徴点について説明する。
尚，前記送風機１については，従来例において説明したものと同様であり，図１，図２に示されるごとく，両端部付近の被支持部であるファン側端部α１，ベアリング側端部α２，及びそれらの端部の間に排気部α３が形成されている。
図４に示されるように，前記送風機カバー１１は，前記送風機１（送風機の有する不図示のモータ）の回転軸心を通過する平面γ１により区分された２つのゴム製部材１２，１３（図５参照）が結合されることにより一体化され，その状態で前記送風機１を内部に収容する。前記ゴム製部材１２，１３としては，それらが面対称に区分されているので同一形状の部材を用いることが可能であり，以下，それらが同一形状の部材であるとして説明を行う。
【００１０】
図５に示されるように，前記ゴム製部材１２（１３）には，ファン支持部１４，ベアリング支持部１５，連結部１６，吸気口１７，複数の排気口１８，回転防止ダボ１９，上下合わせフランジ部２０等が形成されている。
（１）前記ゴム製部材１２，１３から前記送風機カバー１１を構成する方法について。
前記ゴム製部材１２，１３は，各々に設けられた回転防止ダボ１９に前記送風機１に形成された不図示の突起部を係合させつつ，やはり各々に設けられた前記上下合わせフランジ部２０において接着することにより，前記送風機１を収容しつつ前記送風機カバー１１を構成する。尚，前記上下合わせフランジ部２０を，互いに嵌合すると共に，互いに係合するような形状に形成しておく場合には，接着は必ずしも必要としない。
このように，非常に少ない手順で前記送風機１を収容する送風機カバー１１が構成され，組み立て上の手順間違いが生じにくく，それに伴って伴い前記ゴム製部材１２，１３が前記送風機１を支持するときの前記送風機１における被支持箇所の誤り等は生じにくいものと期待される。
（２）前記送風機１の収容後における，前記送風機カバー１１と前記送風機１との関係について。
前記ゴム製部材１２（１３）が結合され，前記送風機１を収容しつつ前記送風機カバー１１を構成した状態では，従来のリング状ゴム２（図１参照）に相当する前記ファン支持部１４の内面と前記送風機１におけるファン側端部α１が当接され，同様にモータ固定ゴム３（図１参照）に相当する前記ベアリング支持部１５の内面と前記送風機１における前記ベアリング側端部α２が当接される。また，前記送風機１における被支持部である前記ファン側端部α１と前記本体部５（本体筐体）の内面とに前記ファン支持部１４が挟まれて保持され，同様に前記ベアリング側端部α２と前記本体部５の内面とに前記ベアリング支持部１５が挟まれて保持される。
（３）前記送風機カバー１１と前記本体部５の内面との関係について。
前記ゴム製部材１２（１３）が結合された前記送風機カバー１１の略全体の外面形状と，前記本体部５（本体筐体）に形成された不図示の送風機収容部の内面形状とは，略一致するように形成されている。
これにより前記本体部５の内面と前記送風機カバー１１との当接面積が増加し，従って振動等に対する前記送風機１の位置ズレ等も防止されやすい。
【００１１】
（４）前記送風機１における排気路，吸気路について。
前記ファン支持部１４と前記ベアリング支持部１５とは前記連結部１６により連結されている。前記ゴム製部材１２（１３）が結合されて前記送風機カバー１１を構成し，前記送風機１を収容する状態では，前記送風機カバー１１における前記連結部１６と前記送風機１における排気部α３とは当接しておらず，円筒形の前記連結部１６，前記排気部α３の外径の差分により定められる所定の間隔だけ隔てられている。つまり，前記排気部α３と前記連結部１６との間には空間が形成されている。以下，この空間を排気用空間という。
前記ゴム製部材１２，１３各々の有する前記吸気口１７は前記送風機１におけるファンに対向しており，該ファンの回転駆動時には前記吸気口１７より吸気される。また，前記送風機１には，ファン側端部α１から前記排気部α３に設けられた送風機排気口に亘って不図示の通気路が形成されている。前記ファンの回転駆動時には，前記吸気口１７より吸気された空気は前記通気路を通過して前記送風機排気口に到達する。また，前記排気部α３と前記連結部１６との間に形成される排気用空間，前記連結部１６に設けられた複数の前記排気口１８等を介して，前記送風機カバー１１の外部へと排気される。尚，前記本体部５において，前記排気口１８と対向する箇所には，前記排気口１８からの排気を外部に逃がすための排気経路が形成されている。
前記排気部α３と前記連結部１６との間には空間が形成されることから，前記排気部α３に設けられた送風機排気口，連結部１６に設けられた排気口１８は厳密に対向している必要はなく，ズレが生じていても構わない。逆にズレが生じている方が望ましい場合もあることが知られている。更に，前記排気口１８の合計面積は，前記送風機排気口の合計面積と等しいか，若しくはそれよりも大きい方が望ましい。
尚，以上から理解できるように，前記ゴム製部材１２，１３が結合された前記送風機カバー１１は，前記送風機１を収容する状態において，前記排気口１８，前記吸気口１７を除く前記送風機１の略全体を覆うように構成される。これにより，前記送風機１の駆動時の騒音が明らかに効率的に低減される。
【００１２】
（第２の実施形態）
第１の実施形態では，送風機カバー１１が，前記送風機１の回転軸心を通過する平面γ１（図４参照）に沿って区分された２つのゴム製部材１２，１３からなるものであったが，本発明はこれに限られるものではない。図６，図７に示されるように，送風機カバー１１’が，その連結部１６’を通過し，かつ前記回転軸心に略直交する平面γ２により区分される２つのゴム製部材２１（ファン支持部側１４’のゴム製部材），２２（ベアリング支持部側１５’のゴム製部材）からなる場合も考えられる。この場合，前記ファン支持部１４’側のゴム製部材２１には，吸気口１７’，及び不図示の合わせフランジ部が設けられる，また，前記ベアリング支持部１５’側のゴム製部材２２には，前記排気口１８，前記回転防止ダボ１９，合わせフランジ部２０’が設けられる。
前記ファン支持部１４’側のゴム製部材２１，前記ベアリング支持部１５’側のゴム製部材２２は，前記送風機１に設けられた不図示の突起部を前記回転防止ダボ１９に係合させつつ，各々に設けられた前記合わせフランジ部において接着することにより，前記送風機１を収容しつつ前記送風機カバー１１’を構成する。尚，構成された前記送風機カバー１１’は第１の実施形態において説明した，図４に示される前記送風機カバー１１と同様のものであり，その説明を省略する。
【実施例】
【００１３】
以上の実施形態では，送風機カバーが２つのゴム製部材からなるものである例について開示したが，適当な被接着部，係合部が設けられた３以上のゴム製部材により前記送風機カバーを構成する例も考えられる。
【図面の簡単な説明】
【００１４】
【図１】従来例における電気掃除機の有する送風機の送風機カバーに支持された状態における断面斜視図。
【図２】従来例における電気掃除機の有する送風機の送風機カバーに支持された状態における斜視図。
【図３】本発明の第１の実施形態に係る電気掃除機の概略図。
【図４】本発明の第１の実施形態に係る電気掃除機の有する送風機の送風機カバーに支持された状態における斜視図。
【図５】本発明の第１の実施形態に係る電気掃除機の有する送風機カバーの概略図。
【図６】本発明の第２の実施形態に係る電気掃除機の有する送風機の送風機カバーに支持された状態における斜視図。
【図７】本発明の第２の実施形態に係る電気掃除機の有する送風機カバーの概略図。
【符号の説明】
【００１５】
Ａ…本発明の実施形態に係る電気掃除機
α１…ファン側端部
α２…ベアリング側端部
α３…排気部
１…送風機
２…リング状ゴム
３…モータ固定ゴム
４…騒音防止フェルト
５…本体部
６…ホース
７…吸込口部
８…手元スイッチ部
９…手元スイッチ
１０…延長管
１１…送風機カバー
１２，１３…ゴム製部材
１４…ファン支持部
１５…ベアリング支持部
１６…連結部
１７…吸気口
１８…排気口
１９…回転防止ダボ
２０…上下合わせフランジ部
【図１】
2006271627.tif 000003
【図２】
2006271627.tif 000004
【図３】
2006271627.tif 000005
【図４】
2006271627.tif 000006
【図５】
2006271627.tif 000007
【図６】
2006271627.tif 000008
【図７】
2006271627.tif 000009